(57)【要約】【課題】本発明はゴルフパターが効率よく上達することが出来るゴルフパター練習用装着具を得るにある。【解決手段】パターヘッド７に沿って延びるパターライン４に直角方向に延びる打ち出しライン５の直角形ラインを形成し、該直角形ラインをパターシャフト８に装着するためのシャフト固定具６から成るもので、該シャフト固定具６の締め付け部９で打ち出しラインを前後に調整する事でボールの真上に合せる事が出来るものとなり、パターヘッド７にパターライン４を合せることで打ち出しライン５の方向が正確に決まり、該打ち出しライン５をホールに向けて打つ練習を繰り返すことによりゴルフパターが効率よく上達することが出来るゴルフパター練習用装着具を構成している。【選択図】図１
2006271930.tif 000002
【特許請求の範囲】
【請求項１】
パターヘッド７の上部シャフトに装着するもので、パターヘッド７に沿って延びるパターライン４に直角方向に延びる打ち出しライン５の直角形ラインを形成し、該直角形ラインをパターシャフト８に装着するためのシャフト固定具６から成るもので、該シャフト固定具６の締め付け部９で打ち出しライン５を前後に調整する事でボールの真上に合せる事が出来るものとなり、パターヘッド７にパターライン４を合せることで打ち出しライン５の方向が正確に決まり、該打ち出しライン５をホールに向けて打つ練習を繰り返すことによりゴルフパターが効率よく上達することが出来るゴルフパター練習用装着具。
【請求項２】
パターヘッド７の上部シャフトに装着するもので、パターヘッド７に沿って延びるパターライン４に直角方向に延びる打ち出しライン５と十字形ラインを形成し、該十字形ラインをパターシャフト８に装着するためのシャフト固定具６から成るもので、該十字形ラインをパターライン４上にスライドし調整する事でボールの真上に打ち出しライン５を合せる事が出来るものとなり、パターヘッド７にパターライン４を合せることで打ち出しライン５の方向が正確に決まり、該打ち出しライン５をホールに向けて打つ練習を繰り返すことによりゴルフパターが効率よく上達することが出来るゴルフパター練習用装着具。
【発明の詳細な説明】
【技術分野】
【０００１】本発明はゴルフパター練習用装着具に関する。（言葉の定義：ゴルフパターはグリップ、シャフト、ヘッド部から構成される。）
【背景技術】
【０００２】従来の技術に（考案の名称：ゴルフパター練習器）があるが、難点として方向板を付けてもその向きが問題でありパターフェイス面と正確に直交しないと意味をなさない。又、方向板がパター後方にあるのでホールと打ち出し方向が解り難い。
【特許文献】登録実用新案第３０８３０３５号参照
【０００３】従来の技術に（考案の名称：ゴルフパター練習用補助具）があるが、難点として芝生内でのパター練習において翼板が芝生に当たりプレーに支障となってしまう。又、厚紙を用いているので雨等の湿気に弱い。
【特許文献】実用新案公開平７−４１８参照
【発明の開示】
【発明が解決しようとする課題】
【０００４】本発明は以上のような従来の欠点に鑑み、ゴルフパターを上達するために効率のよいゴルフパターの練習用装着具を提供することを目的としている。【０００５】本発明の前記ならびにその他の目的と新規な特徴は次の説明を添付図面と照らし合せて読むと、より完全に明らかになるであろう。ただし、図面はもっぱら解説のためのものであって、本発明の記述的範囲を限定するものではない。
【課題を解決するための手段】
【０００６】上記目的を達成するために本発明は、パターヘッドの上部シャフトに装着するもので、パターヘッドに沿って延びるパターラインに直角方向に延びる打ち出しラインの直角形ラインを形成し、該直角形ラインをパターシャフトに装着するためのシャフト固定具から成るもので、該シャフト固定具の締め付け部で打ち出しラインを前後に調整する事でボールの真上に合せる事が出来るものとなり、パターヘッドにパターラインを合せることで打ち出しラインの方向が正確に決まり、該打ち出しラインをホールに向けて打つ練習を繰り返すことによりパターが効率よく上達することが出来るゴルフパター練習用装着具を構成している。【０００７】パターヘッドの上部シャフトに装着するもので、パターヘッドに沿って延びるパターラインに直角方向に延びる打ち出しラインと十字形ラインを形成し、該十字形ラインをパターシャフトに装着するためのシャフト固定具から成るもので、打ち出しラインはパターライン上をスライドし調整する事でボールの真上に打ち出しラインを合せる事が出来るものとなり、パターヘッドにパターラインを合せることで打ち出しラインの方向が正確に決まり、該打ち出しラインをホールに向けて打つ練習を繰り返すことによりパターが効率よく上達することが出来るゴルフパター練習用装着具を構成している。
【発明の効果】
【０００８】  以上の説明から明らかなように、本発明にあっては次に列挙する効果が得られる。
（１）請求項１の構成から成る直角型タイプの装着具を付けることにより、ボールの中心に打ち出しラインを合せパターラインと打ち出しラインが正確に直角なので打ち出しラインに沿って打つことにより、打ち出しライン方向に飛球され繰り返し練習することによりパターが効率よく上達する事が出来る。【０００９】（２）請求項１の構成から成る直角型タイプの装着具を付けることにより、打ち出しラインとホールを結ぶ想定ラインをイメージし易くなり、その打ち出しラインに沿って打つことでボールはホールインしやすくなり、この練習を繰り返すことでパターが効率よく上達する事が出来る。【００１０】（３）請求項２の構成から成る十字型タイプの装着具を付けても、上記（１）と（２）の同様の作用効果がある。
【発明を実施するための最良の形態】
【００１１】以下、図面に示す発明を実施するための形態により本発明を詳細に説明する。【００１２】図１は本発明を実施するための最良の第１の形態でパターに沿うパターラインと打ち出しラインは直角とすることで打ち出しライン方向に打つとその方向に飛球される。パターラインはパターと同じ程度の長さとし、打ち出しラインは少し長めの方が見やすくなり先端は安全上の面からキャップを付けるとよい。打ち出しラインはあらかじめ締め付け部で適切な位置に固定しておく。【００１３】図２は本発明を実施するための第２の形態で、前記最良の第１の形態と主に異なる点はパターライン上を打ち出しラインがスライド固定出来るもので、このようにしても最良の第１の形態と同様の作用効果が得られる。【００１４】図３はシャフト固定具で板バネや鋼線バネ等で挟む構造のものやネジで締め付けるものがありシャフトに固定されるものなら何でもよい。又、シャフトは傾斜しているのが一般的だが直角形ラインや十字形ラインが地面と水平になるように水平となる固定具が好ましい。
【産業上の利用可能性】
【００１５】  本発明はゴルフパター練習用装着具を製造する産業で利用される。
【図面の簡単な説明】
【００１６】
【図１】本発明を実施するための最良の第１の形態のゴルフパター練習用装着具の直角型タイプをパターに付けた平面図。
【図２】本発明を実施するための第２の形態のゴルフパター練習用装着具の十字型タイプをパターに付けた平面図。
【図３】ゴルフパター練習用装着具のシャフト固定具図。
【符号の説明】
【００１７】１：ゴルフパター練習用装着具、  ２：直角型タイプの装着具、  ３：十字型タイプの装着具、  ４：パターライン、  ５：打ち出しライン、  ６：シャフト固定具、  ７：パターヘッド、  ８：パターシャフト、  ９：締め付け具。
【図１】
2006271930.tif 000003
【図２】
2006271930.tif 000004
【図３】
2006271930.tif 000005